(57)【要約】【課題】  ユーザに理解し易いナビゲーションを提供することができる情報端末装置等を提供する。【解決手段】  編集処理部４２は、素材データ保持部４１に格納されている風景画像の画像データ等の再生手順等を含むシーケンスファイルを生成し、画像データ等とパッケージ化してナビゲーションデータを作成する。作成したナビゲーションデータはアップロード処理部４３によってナビゲーションサーバ１０のデータ保持部１１に供給する。ナビゲーションサーバ１０は、携帯電話端末装置８０からの要求に応じてナビゲーションデータを提供する。携帯電話端末装置８０のナビゲーションアプリケーション６００は、ナビゲーションデータ中のシーケンスファイルに従って風景画像の画像データの拡大処理等を実行してナビゲーションを提供する。【選択図】      図１
2006253742.tif 000002
【特許請求の範囲】
【請求項１】
静止風景画像の画像データと，該静止風景画像の画像データの拡大処理の定義を含む再生手順データとを保持する保持手段と、
前記再生手順データに応じて前記静止風景画像の画像データの再生を制御する再生制御手段と、
該再生制御手段による指示に応じて前記静止風景画像の画像データの拡大処理を実行する拡大手段と
を備えることを特徴とする情報端末装置。
【請求項２】
前記再生手順中の拡大処理の定義は、拡大中心の座標の定義と、拡大速度の定義とを含むことを特徴とする請求項１記載の情報端末装置。
【請求項３】
前記再生手順データは、前記複数の静止風景画像の画像データの時系列な定義を含み、
前記再生制御手段は、前記時系列な定義に応じて前記複数の静止風景画像の画像データを時系列に再生させることを特徴とする請求項１記載の情報端末装置。
【請求項４】
静止風景画像の画像データと，該静止風景画像の画像データの拡大処理の定義を含む再生手順データとを保持する保持手段と、
ネットワーク経由で接続された情報端末装置からの要求に応じて前記静止風景画像の画像データと再生手順データとを提供するデータ提供手段と
を備えることを特徴とする情報提供装置。
【請求項５】
静止風景画像の画像データを保持する保持手段と、
該静止風景画像の画像データの拡大処理の定義を含む再生手順データを作成する編集手段と
を備えることを特徴とするデータ作成装置。
【請求項６】
静止風景画像の画像データと、
該静止風景画像の画像データの拡大処理の定義を含む再生手順データと
を有することを特徴とするコンピュータで再生可能なナビゲーションデータ。
【請求項７】
前記再生手順データに応じて、前記静止風景画像の画像データの再生を制御する制御処理と、
前記拡大処理の定義に応じて、前記静止風景画像の画像データの拡大処理を実行させる拡大処理と
を含むコンピュータで実行可能なプログラムを有することを特徴とする請求項６記載のナビゲーションデータ。
【請求項８】
前記静止風景画像の画像データを複数有し、
前記再生手順データは、前記複数の静止風景画像の画像データの時系列な定義を含むことを特徴とする請求項６記載のナビゲーションデータ。
【請求項９】
前記時系列な定義に応じて、前記複数の静止風景画像の画像データを時系列に再生させる制御処理と、
前記拡大処理の定義に応じて、前記静止風景画像の画像データの拡大処理を実行させる拡大処理と
を含むコンピュータで実行可能なプログラムを有することを特徴とする請求項８記載のナビゲーションデータ。
【請求項１０】
前記静止風景画像の画像データに対応する、少なくともアイコン情報，テキスト情報及び音情報のいずれか一を定義する画像属性データを有することを特徴とする請求項６記載のナビゲーションデータ。
【請求項１１】
静止風景画像の画像データの拡大処理の定義を含む再生手順データを作成する作成ステップと、
前記静止風景画像の画像データと，前記作成手段によって作成した再生手順データとを含むナビゲーションデータを送信する送信ステップと、
該送信されたナビゲーションデータを受信する受信ステップと、
該受信したナビゲーションデータ中の再生手順データに応じて、前記静止風景画像の再生を制御する再生ステップと、
画像データの拡大処理を実行する拡大ステップと
を有することを特徴とするナビゲーションサービスの提供方法。
【請求項１２】
前記作成ステップは、複数の前記静止風景画像の画像データの時系列な定義を含む前記再生手順データを作成するステップを含み、
前記再生ステップは、前記時系列な定義に応じて、前記複数の静止風景画像の画像データを時系列に再生するステップを含む
ことを特徴とする請求項１１記載のナビゲーションサービスの提供方法。
【発明の詳細な説明】
【技術分野】
【０００１】
本発明は、ユーザに道案内（ナビゲーション）サービスを提供する情報端末装置，情報提供装置及びコンテンツ作成装置に関する。
【背景技術】
【０００２】
携帯電話端末装置に内蔵されたＧＰＳ（Global Positioning System）受信機による測位結果に応じて、道案内（ナビゲーション）サービスを提供するナビゲーションサービスが知られている。このようなサービスでは、ＧＰＳ受信機によって検出した当該携帯電話端末装置の位置（現在地）と、目的地を平面的な地図上に表示する。ユーザは、このような表示を見ることにより、現在地と目的地の位置関係を把握することができるようになっている（例えば特許文献１参照。）。
【０００３】
また、車載用のナビゲーションシステムでは、地図データを３次元的にユーザの視点に近い状態で表示させ、ユーザの把握を容易にしたものが知られている（例えば特許文献２参照。）。
【特許文献１】特開平９−１０２０９４号（第３頁、第２図）
【特許文献２】特開平５−２０３４５７号（第３頁、第４図）
【発明の開示】
【発明が解決しようとする課題】
【０００４】
従来の車載用３Ｄナビゲーションシステムには、ベクターデータで形成される道路等の座標情報に、３Ｄイメージファイルを重畳表示させて地図情報を表示させるものがある。このような３Ｄナビゲーションシステムでは、都市部等、建物が密集した地域の画像を生成するために、３Ｄイメージデータである画像素材を複数記録しておく必要があった。このため、十分な記録領域を確保しておく必要があった。
【０００５】
従来の携帯電話端末装置におけるナビゲーションサービスでは、メモリの制約から広範囲の地図データを携帯電話端末装置に格納しておくのは困難であり、現在地付近の地図データをサーバ装置から提供するようになっている。このため、ユーザの移動に応じて適宜サーバ装置と通信を行う必要が生じ、その都度通信料金が必要であるため、ランニングコストの面で改善の余地がある。
【０００６】
また、携帯電話端末装置では、ＭＰＵの処理能力の制約から、従来の車載用のナビゲーションのように、３次元的に地図データを表示するのは困難である。また、携帯電話端末装置の技術進歩は他の分野と比較しても極めて早いことから、携帯電話端末装置ネットワークに世代の異なる複数の携帯電話端末装置が存在する場合もある。携帯電話端末装置の能力は、世代によって異なるため、世代に関係なく、３次元的なナビゲーションサービスを提供しようとすると、古い世代の携帯電話端末装置でも利用できる程度の処理負荷で実現する必要がある。
【０００７】
本発明は、上述のような課題に鑑みてなされたものであり、ユーザが理解し易いナビゲーションを提供することができる情報端末装置，情報提供装置，データ作成装置，ナビゲーションデータ及びナビゲーションサービスの提供方法を提供することを目的とする。また、本発明は、携帯電話端末装置の世代能力に依存しないナビゲーションの提供を目的とする。
【課題を解決するための手段】
【０００８】
上述の問題を解決するために、本発明の請求項１に係る情報端末装置は、静止風景画像の画像データと，静止風景画像の画像データの拡大処理の定義を含む再生手順データとを保持する保持手段と、再生手順データに応じて静止風景画像の画像データの再生を制御する再生制御手段と、再生制御手段による指示に応じて静止風景画像の画像データの拡大処理を実行する拡大手段とを備えることを特徴とする。この情報端末装置では、再生制御手段が、再生手順データに応じて静止風景画像の画像データの再生を制御し、拡大手段が、再生制御手段による指示に応じて静止風景画像の画像データの拡大処理を実行する。
【０００９】
また、本発明の請求項４に係る情報提供装置は、静止風景画像の画像データと，静止風景画像の画像データの拡大処理の定義を含む再生手順データとを保持する保持手段と、ネットワーク経由で接続された情報端末装置からの要求に応じて静止風景画像の画像データと再生手順データとを提供するデータ提供手段とを備えることを特徴とする。この情報提供装置では、データ提供手段が、ネットワーク経由で接続された情報端末装置からの要求に応じて静止風景画像の画像データと再生手順データとを提供する。
【００１０】
また、本発明の請求項５に係るデータ作成装置は、静止風景画像の画像データを保持する保持手段と、静止風景画像の画像データの拡大処理の定義を含む再生手順データを作成する編集手段とを備えることを特徴とする。このデータ作成装置では、編集手段が、静止風景画像の画像データの拡大処理の定義を含む再生手順データを作成する。
【００１１】
また、本発明の請求項６に係るナビゲーションデータは、静止風景画像の画像データと、静止風景画像の画像データの拡大処理の定義を含む再生手順データとを有することを特徴とする。
【００１２】
また、本発明の請求項１１に係るナビゲーションサービスの提供方法は、静止風景画像の画像データの拡大処理の定義を含む再生手順データを作成する作成ステップと、静止風景画像の画像データと，作成手段によって作成した再生手順データとを含むナビゲーションデータを送信する送信ステップと、送信されたナビゲーションデータを受信する受信ステップと、受信したナビゲーションデータ中の再生手順データに応じて、静止風景画像の再生を制御する再生ステップと、画像データの拡大処理を実行する拡大ステップとを有することを特徴とする。
【発明の効果】
【００１３】
本発明の請求項１に係る情報端末装置では、再生手段が、保持手段に保持されている再生手順データに応じて静止風景画像の画像データの再生を制御し、拡大手段が、再生制御手段による指示に応じて静止風景画像の画像データの拡大処理を実行する。このように拡大して再生される静止風景画像の画像データに応じた画像により、ユーザに静止風景画像の撮影方向に移動したような認識を与えることができる。このため、ユーザが理解し易いナビゲーションを提供することができる。
【００１４】
本発明の請求項４に係る情報提供装置では、データ提供手段が、ネットワーク経由で接続された情報端末装置からの要求に応じて静止風景画像の画像データと静止風景画像の拡大処理を含む再生手順データとを提供することができる。このため、ユーザが理解し易いナビゲーションを行い得るデータを提供することができる。
【００１５】
本発明の請求項５に係るデータ作成装置では、編集手段が、静止風景画像の画像データの拡大処理を含む再生手順データを作成することができる。このため、ユーザが理解し易いナビゲーションを行い得るデータを作成することができる。
【発明を実施するための最良の形態】
【００１６】
本発明は、例えば複数の移動体通信網に接続される情報端末装置間で通信を行い得る情報通信システムに適用することができる。
【実施例１】
【００１７】
（全体構成）
本発明の一実施例に係る情報通信システムは、例えば図１に示すように、道案内（ナビゲーション）のデータ（ナビゲーションデータ）を提供し得るナビゲーションサーバ１０と、メッセージの送受信を行うメールサーバ２０と、テキスト，画像，音声等のデータを提供し得るＨＴＴＰ（Hyper Text Transfer Protocol）サーバ３０と、ナビゲーションデータの編集を行う編集装置４０と、これらのサーバ等が接続されているインターネット等のネットワーク５０と、例えばＷ−ＣＤＭＡ（Wideband-Code Division Multiple Access）方式の移動体通信ネットワークからなる移動体通信網６０と、例えばＰＤＣ（Personal Digital cellular）方式の移動体通信ネットワークからなる移動体通信網７０と、移動体通信網６０経由で通話，通信等のサービスを利用し得る携帯電話端末装置（情報端末装置）８０とを備えている。
【００１８】
ナビゲーションサーバ１０，メールサーバ２０，ＨＴＴＰサーバ３０及び編集装置４０は、例えばＭＰＵ（Micro Processing Unit），メモリ，ＨＤＤ（Hard Disk Drive）等の補助記憶装置，入出力装置，ネットワークインターフェース，キーボード，ディスプレイ等の入出力装置等を有するパーソナルコンピュータ（ＰＣ），ワークステーション（ＷＳ）等の情報処理装置からなり、ＨＤＤ等に保持されているオペレーティングシステム（ＯＳ）及び制御プログラムを実行することにより、同図中に示す機能ブロックとして機能する。
【００１９】
ナビゲーションサーバ１０は、ナビゲーションデータを保持するデータ保持部１１と、携帯電話端末装置８０等からの要求に応じてナビゲーションデータを提供するファイル提供部１２とを備えている。
【００２０】
メールサーバ２０は、例えば携帯電話端末装置８０，７３からのメッセージの送信にＳＭＴＰ（Simple Mail Transfer Protocol）を用い、携帯電話端末装置８０宛のメッセージの提供にＩＭＡＰ４（Internet Message Access Protocol version 4）等を用いて携帯電話端末装置８０に対するメールサービスを提供している。
【００２１】
ＨＴＴＰサーバ３０は、テキスト，画像，音声等のデータを携帯電話端末装置８０あるいは携帯電話端末装置７３等に提供する。テキスト（文書）のデータは、例えばＨＴＭＬ（Hyper Text Markup Language）形式，ＭＭＬ（Mobile Markup Language）形式あるいはテキスト形式等で提供する。また、壁紙，写真，動画等の画像のデータは、例えばＪＰＥＧ，ＰＮＧ等の形式で提供する。また、着信メロディ，着信音等の音声データは、例えばＳＭＤ，ＭＩＤ，ＭＰ３等の形式で提供する。
【００２２】
編集装置４０は、画像データ，アイコン等の素材データを保持する素材データ保持部４１と、画像データの表示順等を記述したシーケンスファイルを生成し、ナビゲーションデータ（アーカイブファイル）を生成する編集処理部４２と、生成したナビゲーションデータ保持部４４に格納されているナビゲーションデータをナビゲーションサーバ１０のデータ保持部１１に供給するアップロード処理部４３を備えている。
【００２３】
移動体通信網６０は、例えば無線アクセス系としてＷ−ＣＤＭＡ（Wideband Code Division Multiple Access）方式，コアネットワーク系としてＧＰＲＳ（General Packet Radio Service）方式を採用したデジタル無線通信網等からなり、ショートメッセージを送信するショートメッセージセンタ（ＳＭＳＣ：Short Message Service Center）６１と、コアネットワーク（ＣＮ）を構成するＭＳＣ（Mobile Switching Circuit）６２，ＧＧＳＮ（Gateway GPRS Support Node）６３，ＳＧＳＮ（Serving GPRS Support Node）６４と、無線アクセスネットワークを構成するＲＮＣ（Radio Network Controller）６５，基地局装置（ＮＢ：ＮｏｄｅＢ）６６ａ，６６ｂ，…，６６ｎとを備えている。
【００２４】
また、移動体通信網７０は、ネットワーク５０に接続されたＧＧＳＮ７１と、このＧＧＳＮ７１に接続されたＳＧＳＮ７２と、いわゆる２．５世代（２．５Ｇ）と呼ばれるパケット通信機能を備えた携帯電話端末装置（ＭＳ：Mobile Station）７３との間で無線通信を行う基地局装置（ＢＳ：Base Station）７４ａ，７４ｂ，…と、これらのＢＳ７４ａ，７４ｂ，…の制御を行う基地局制御装置（ＢＳＣ：Base Station Controller）７５と、ＭＳＣ７６と、ＭＳＣ６２と接続されたＧＭＳＣ（Gate MSC）７７とを備えている。
【００２５】
携帯電話端末装置８０，７３は、他の携帯電話端末装置あるいは固定電話端末装置との間で通話を行う通話機能の他に、電子メールの送受信を行うメール通信機能（電子メールクライアント）と、ＨＴＴＰサーバ３０等が提供するデータを利用するブラウザ機能（ブラウザ）とを備えている。
【００２６】
（携帯電話端末装置構成）
携帯電話端末装置８０は、高周波信号の処理を行う高周波（ＲＦ：Radio Frequency）部８１と、ＭＰＵ８２と、メモリ８３と、ユーザからの指示等を入力する操作キー８４と、ユーザに対する表示を行う表示部８５と、この表示部８５による表示を制御する表示制御部８６と、風景等の画像を撮像するカメラ８７と、音声通信の処理を行う通話処理部８８と、携帯電話端末装置８０の加速度を検出する加速度センサ８９ａと、ＧＰＳ（Global Positioning System）による携帯電話端末装置８０の測位を行うＧＰＳ受信機８９ｂとを備えている。表示部８５の物理的な表示画素数は、例えば横２４０×縦３２０画素画素の画像となっている。また、カメラ８７による撮像データの画素数は、例えば横９６０画素×縦１２８０画素となっている。
【００２７】
通話処理部８８は、音声信号の符号化／復号化を行う音声ＣＯＤＥＣ８８ａと、ＭＩＣ８８ｂと、スピーカ８８ｃとを備えている。
【００２８】
ＭＰＵ８２は、例えばメモリ８３に保持されている制御プログラムを実行することにより、移動体通信網６０を介した通信の制御を行う通信制御部１００と、メールサーバ１０，ＳＭＳＣ６１が提供する電子メールサービスを利用する電子メールクライアント２００と、ＨＴＴＰサーバ３０が提供するデータ，電子メールのメッセージ等を表示するブラウザ２５０と、スクリプト言語によって記述された処理を実行するスクリプト実行環境４００と、表示部８５に表示する画像の描画を行う描画処理部５００等としても機能する。
【００２９】
また、メモリ８３内には、設定情報を保持する設定保持部８３ａと、メッセージ，テキスト，画像，音声等のデータを保持するデータ保持部８３ｂと、ナビゲーションサーバ１０等からのナビゲーションデータを保持するナビゲーションデータ保持部８３ｃが設けられている。
【００３０】
（ナビゲーションデータ概要）
このナビゲーションデータは、風景画像の画像データと、再生手順を示すシーケンスファイル等をパッケージ化したアーカイブファイルとして構成されている。このようなナビゲーションデータは、ナビゲーションサーバ１０から提供したり、メールサーバ２０からのメッセージの添付ファイルとして提供する。ナビゲーションサーバ１０から提供する場合には、例えばＨＴＴＰサーバ３０が提供するインデックスファイルあるいは電子メールのメッセージ中にナビゲーションサーバ１０の所定のアドレスを記述しておく。ブラウザ２５０は、このアドレスに応じてナビゲーションサーバ１０からナビゲーションファイルを取得し、ナビゲーションデータ保持部８３ｃに格納する。
【００３１】
（ナビゲーションアプリケーション概要）
携帯電話端末装置８０は、例えばスクリプトで記述された再生アプリケーション（ナビゲーションアプリケーション）を実行することによって、ナビゲーションデータに応じたナビゲーションを行うことができるようになっている。このナビゲーションアプリケーション６００は、例えば図２に示すように、シーケンスファイルに応じた動作制御を行う表示スケジュール管理部６１０，パッケージ化されたナビゲーションデータ中の画像データ，シーケンスファイル等の管理を行うパッケージ処理部６２０，画像データの取得等の管理を行う画像管理部６３０，風景画像の拡大処理を行う画像拡大処理部６４０等を備えており、ナビゲーションデータに応じたナビゲーションを行う。
【００３２】
このナビゲーションアプリケーションは、予め携帯電話端末装置８０のメモリ８３に格納して提供してもよいし、ＨＴＴＰサーバ３０あるいはナビゲーションサーバ１０から携帯電話端末装置８０に提供するようにしてもよい。また、携帯電話端末装置に設けられる外部インタフェースにより、外部装置からインタフェースを介して提供するようにしてもよく、外部メモリコネクタを有する携帯電話端末装置においては、外部メモリを介して提供するようにしてもよい。
【００３３】
（スクリプト実行環境）
このようなナビゲーションアプリケーションを実行するスクリプト実行環境４００は、例えば図２に示すように、操作入力，画像表示等の一般的なＡＰＩ（Application Program Interface）の他に、ナビゲーションアプリケーションの実行に用いるナビゲーションＡＰＩ４２０を備えている。このナビゲーションＡＰＩ４２０では、加速度・ＧＰＳデータ取得部５６０からの座標データ（ＧＰＳ受信機８９ｂから），加速度データ（加速度センサ８９ａから）等の取得処理、描画処理部５００による描画処理、画像拡大処理部６４０からの指示に応じた風景画像の拡大処理等が規定されている。
【００３４】
風景画像の拡大処理は処理負荷が高いため、ナビゲーションＡＰＩ４２０を介して、ネイティブ環境（仮想マシンを介さずにＭＰＵ８２で直接実行する環境）で実行される拡大処理部５１０によって実行されるようになっている。これにより、拡大処理の高速化を実現し、ユーザに対するレスポンスの向上に寄与することができる。
【００３５】
（ナビゲーションデータ詳細）
ナビゲーションデータは、例えば図３に示すように、風景画像の画像データ（風景画像記憶領域８１０）、アイコンの画像データ（アイコン記憶領域８２０）、テキストデータ（テキスト記憶領域８３０）、音声データ（音声記憶領域８４０）、シーケンスファイル（シーケンスファイル記憶領域８５０）等をパッケージ化した１つのアーカイブファイル８００として構成されている。
【００３６】
この実施例において、風景画像は、例えばファイル名と撮影日時情報等の属性情報で管理されており、アイコンの画像データ，テキストデータ，音声データ等は各々識別情報（ＩＤ）で管理されている。シーケンスファイルには、風景画像の並び順，最大拡大領域の左上と右下の座標，表示するアイコン・テキスト・音声等が時系列に記述されている。このシーケンスファイルの記述は、例えば風景画像のファイル名（例：“Ａ．ｊｐｇ”），最大拡大領域の左上のｘ座標（ｘ１），ｙ座標（ｙ１）及び右下のｘ座標（ｘ２），ｙ座標（ｙ２），アイコン画像のアイコンＩＤ（例：アイコンＩＤ＝ｎ），表示タイミング（数字：０［最初のステップ］，１［ズームの前半］，２［ズームの後半］〜５［最後のステップ］，表示位置のｘ座標，ｙ座標，テキストデータのテキストＩＤ（例：テキストＩＤ＝ｎ），表示タイミング，音声データの音声ＩＤ（例：音声ＩＤ＝ｎ），表示タイミングとなっている。
【００３７】
なお、最大拡大領域の座標と、アイコン画像の表示位置の座標は画像データ上の座標で指定する。アイコンの表示位置を省略した場合には、標準の位置（例えば画像データの中央）にアイコンを表示する。また、このシーケンスファイルの例ではテキストデータの表示位置は指定しておらず、標準の位置（例えば画面上部）に表示するようにしているが、例えば図１２に示すように、アイコンと同様に、シーケンスファイル内において、表示位置の座標を指定してもよい。
【００３８】
例えば図４中に矢印で示す実際の経路のナビゲーションをする場合には、風景画像は、例えば図５中のＡ，Ｂ，Ｃ，Ｄ，Ｅ，Ｆの各地点で撮影された画像となっている。各地点で撮影された風景画像は、例えば図６（Ａ地点），図７（Ｂ地点），図８（Ｃ地点），図９（Ｄ地点），図１０（Ｅ地点），図１１（Ｆ地点）に示すような画像となっている。また、これらの画像データは、通信容量や世代の古い携帯電話端末装置の能力等を考慮して、例えば横４８０画素×縦６４０画素の画像を用いている。なお、処理能力の高い携帯電話端末装置向けのサービスでは、さらに画素数の多い画像データを用いるようにしてもよい。
【００３９】
また、この場合のシーケンスファイルの具体的な内容は、例えば図１２に示すようになっている。例えばこの図１２中の１行目は、ファイル名“Ａ．ｊｐｇ”である画像（図６）について画像中の座標（ｘ１，ｙ１）〜（ｘ２，ｙ２）の領域を最大拡大領域として拡大処理を行い、拡大処理を行う前の最初のステップの画像中にテキストＩＤが“００１”のテキストデータを表示させることを示している。２行目以降は、次に表示させる画像データ，最大拡大領域等を順次示している。この図１２に示すシーケンスファイル中の１行目（ファイル名“Ａ．ｊｐｇ”）と４行目（ファイル名“Ｄ．ｊｐｇ”）のテキストデータの定義では、表示位置が指定されていないため、標準の位置（例えば画面上部）に文字が表示されるが、６行目（ファイル名“Ｆ．ｊｐｇ”ＩＤ＝００６）のテキストデータの定義では、表示位置が指定されているため、画像データの拡大処理後の対応する位置に文字が表示される。
【００４０】
このような構成のシーケンスファイルによって定義されたナビゲーションの流れを概念的に示すと、例えば図１３に示すようになる。すなわち、ファイル名が“Ａ．ｊｐｇ”である画像（図６）の表示に続いて、ファイル名が“Ｂ．ｊｐｇ”の画像データ（図７）を表示させ、この画像データの拡大処理の最後のステップにおいてアイコンＩＤが“００１”であるアイコンの画像（左向き矢印）を表示させる。この後、ファイル名“Ｃ．ｊｐｇ”の画像データ（図８）〜ファイル名“Ｆ．ｊｐｇ”の画像データ（図１１）までを順次拡大処理を行って表示させる。
【００４１】
（再生動作）
上述の設定保持部８３ａには複数のナビゲーションデータを格納することができるようになっている。ユーザがナビゲーションデータを指定して、ナビゲーションの開始を指示すると、スクリプト実行環境４００はナビゲーションアプリケーション６００の実行を開始し、例えば図１４に示す処理の実行を開始する。
【００４２】
まず、表示スケジュール管理部６１０は、パッケージ処理部６２０にナビゲーションデータ中のシーケンスファイルを抽出させる（Ｓ１）。次に、表示スケジュール管理部６１０は、シーケンスファイル内に実行すべき処理が残っているか否かを判定し（Ｓ２）、残っていなければ終了する。実行すべき処理が残っていれば表示スケジュール管理部６１０は、Ｓ３〜Ｓ１０までの処理を実行する。
【００４３】
表示スケジュール管理部６１０は、シーケンスファイル内の次の１行分（最初の実行時には１行目）の記述の解釈を行う（Ｓ３）。１行分の記述には、表示すべき画像データのファイル名と最大拡大領域の座標等が記述されているため、これに応じてズームステップ（フレーム数）を設定し、各ステップ毎の拡大率を設定する（Ｓ４）。例えば元の画像データと最大拡大領域のサイズの比率毎に表示に用いるステップ数が解る（例えば比率が２分の１の場合には５枚等）。ここで、比率が２分の１であるとすると、１ステップ毎の拡大率は２の４乗根（≒１．１４８７）倍となる。
【００４４】
設定が終了すると表示スケジュール管理部６１０は、画像管理部６３０に指示して指定されているファイル名に対応する画像データをナビゲーションデータから抽出させ、上述の最大拡大領域と各ステップ毎の拡大率に従って、当該ズームステップにおいて表示させる画像データ中の領域（画像表示領域）の座標を算出させる（Ｓ５）。
【００４５】
この後、表示スケジュール管理部６１０は、アイコン等の表示の指示があるか否かを判断し（Ｓ６）、指示が無ければＳ８に進む。表示の指示がある場合には、当該ズームステップの画像表示領域に応じてアイコン等の表示領域を算出した後、Ｓ８に進む（Ｓ７）。シーケンスファイル内でアイコン等の表示位置が指定されている場合、アイコン等の表示部８５上の位置は、拡大処理後の画像表示領域内の対応する位置となる。このため、これらの表示部８５上での表示位置はズームステップにおける拡大処理に応じて変化する。
【００４６】
Ｓ８において、表示スケジュール管理部６１０は、画像拡大処理部６４０に画像データの拡大（場合によっては縮小）処理を指示する。これに応じて、画像拡大処理部６４０は、拡大処理部５１０に画像データのファイル名と上述の画像表示領域の座標（ｘ１’，ｙ１’，ｘ２’，ｙ２’）を通知する。これに応じて、拡大処理部５１０は、ナビゲーションデータ保持部８３ｃからファイル名に対応する風景画像の画像データを取得し、画像拡大処理部６４０からの指示に従って拡大処理を実行する。例えばファイル名“Ａ．ｊｐｇ”の画像データの最初のステップにおいては、画像データの画素数（横４８０×縦６４０画素）が表示部８５の表示画素数（例えば横２４０×縦３２０画素）より大きいため、拡大処理部５１０は、表示部８５の表示画素数に対応させて画素数の低減処理を実行する。２ステップ目以降は、画像表示領域に応じて画像データの所定の領域の画素のデータを抽出し、拡大処理を行った後、表示部８５の表示画素数に対応させて画素数の調整［低減，補間等］を行う。なお、拡大処理後の画像データのサイズが、表示部８５の表示画素数より小さい場合には、当該画像の周囲を空白（所定の色の画素）としてもよい。
【００４７】
この後、表示スケジュール管理部６１０は、描画処理部５００に指示して、拡大処理された風景画像の画像データにアイコン等の画像を合成させて表示部８５に表示させる（Ｓ９）。これにより、例えばファイル名“Ａ．ｊｐｇ”の画像データの最初のステップには、上述の図１３の左上の画像のように、テキストＩＤ＝００１のテキストデータに対応する文字が風景画像の画像データに合成されて表示される。なお、シーケンスファイル中でアイコン等の表示位置が指定されている場合には、例えば図１３の右下の画像の破線部内のように、画像データの拡大処理後の対応する位置にアイコン等が表示される。
【００４８】
以上の処理が終了すると、表示スケジュール管理部６１０は、１行分の処理が終了したか否かを判定し（Ｓ１０）、終了していればＳ２に戻って次の行の処理に移行する。１行分の処理が終了していない場合には、表示スケジュール管理部６１０は、Ｓ５に戻り、上述の処理と同様に、次のズームステップ以降についてＳ５〜Ｓ９の処理を繰り返す。
【００４９】
これにより、例えばファイル名“Ａ．ｊｐｇ”の画像データの表示からファイル名“Ｃ．ｊｐｇ”の画像データの最初のステップまでの表示を行うと、例えば図１５に示すように、上述の図５中のＡ地点からＣ地点まで実際に移動した際の風景画像に近い画像を表示させることができる。なお、この図１５は、１つの画像データのステップ数を３（各ステップ間の拡大率≒１．４１４程度）として概念的に示しているが、実際のステップ数は、上述のように最大拡大領域と画像データのサイズの比率等によって変化する。また、上述の図１２中では、図１５（ａ）〜（ｅ）に相当するステップにおけるアイコンの表示の指示はないが、この図１５では、アイコンの表示位置の変化を示すために、アイコンを表示させた例を示している。
【００５０】
（効果）
この携帯電話端末装置８０では、このような風景画像の表示を行うことにより、ユーザに理解し易いナビゲーションを提供することができる。また、上述のナビゲーションデータは、静止画像（静止風景画像）の画像データ数枚分とシーケンスファイル等のデータであるため、動画像で同様なナビゲーションの表示を行おうとした場合に比較して、データ容量を大幅に低減させることができる。
【００５１】
また、動画像で同様な画像を撮像しようとすると、手ぶれ，通行人等の影響により、再生時に見やすい画像を撮像することが非常に困難である。これに対して、この携帯電話端末装置８０で再生するナビゲーションデータでは、静止画数枚の画像で実現できるため、撮影時の手ぶれ，通行人の影響等を低減させて、見やすい画像の構成が非情に容易である。
【００５２】
ところで、この図１５中の右下（ｆ）のファイル名“Ｂ．ｊｐｇ”の画像から（ｇ）のファイル名“Ｃ．ｊｐｇ”の画像に切り替える場面は、上述の図５に示すように、実際の移動では左折する場面である。このため、この切り替えにおいては、ファイル名“Ｃ．ｊｐｇ”の画像を表示部８５の表示画面の左側からスライドインさせるようにしてもよい。このような表示を行うことにより、ユーザに曲がる方向についてのイメージを容易に認識させることができる。
【００５３】
さらに、次の画像のスライドインに応じて、前の画像を反対方向にスライドアウトさせるとさらに、認識が容易になる。例えば左方向に曲がる際には、次の画像（例えばファイル名“Ｃ．ｊｐｇ”）を左からスライドインさせると共に、前の画像（ファイル名“Ｂ．ｊｐｇ”）を右にスライドアウトさせる。
【００５４】
また、切替前後の画像が似ている場合、例えば図１５中の右上（ｃ）の画像（ファイル名“Ａ．ｊｐｇ”）から左下（ｄ）の画像（ファイル名“Ｂ．ｊｐｇ”）に切り替える場合には、透過処理を行って画像の切替を行うようにしてもよい。具体的には、例えば図１６に示すように切替前の画像の画素を徐々に切替後の画像の画素に置き換えて画像の切替を行う。これにより、画像の切替をスムーズに見せることができるようになる。
【００５５】
（拡大処理詳細）
ところで、拡大処理部５１０における拡大処理を、単に画像データ全体の拡大としていると、切替前後で中心部の対象物（特に遠景）の大きさが不連続になってしまう場合がある。例えば図１５中の上段右端の画像（ｃ）［ファイル名“Ａ．ｊｐｇ”の風景画像の最後のステップ］］と、下段左端の画像（ｄ）［ファイル名“Ｂ．ｊｐｇ”の風景画像の最初のステップ］では、中心部の風景（山）の表示の大きさが切替前後で小さくなっている。この結果、例えば図１７に示すように、風景画像の切替の前後で、ユーザが感じる距離感が変化してしまう。
【００５６】
このため、例えば図１８に示すように、風景画像の拡大を、風景画像の中心部で小さく、周辺部で大きくなるように行ってもよい。このような拡大処理を行うことにより、ユーザが感じる距離感を切替前後で連続的にすることができる。
【００５７】
（再生速度調整）
また、上述のナビゲーションの再生をユーザの指示に応じて制御し得るようにしてもよい。例えば表示制御部８６の所定の操作キーに機能を割り当て、ユーザが当該キーを押下した際に対応する機能を実行させる。例えば［２］を再生速度の高速化、［８］を再生速度の低下、［５］を一時停止、［４］を１ステップ戻し、［６］を１ステップ送り等と定義する。
【００５８】
ナビゲーションの実行中にユーザが［２］を押下すると、表示スケジュール管理部６１０は、例えば上述の図１４中のＳ９における待ち時間を低減させ、再生速度を高速化する。また、ユーザが［８］を押下すると、表示スケジュール管理部６１０は、例えばＳ９における待ち時間を増加させ、再生速度を低下させる。
【００５９】
ズーム動作の途中において、ユーザが［５］を押下すると、表示スケジュール管理部６１０は、ズーム動作を一時停止させる。一時停止の状態では、表示スケジュール管理部６１０は、ユーザが［４］を押下するとズーム動作を１ステップ前に戻し、ユーザが［６］を押下するとズーム動作を１ステップ先に進める。また、一時停止の状態で、ユーザが［５］を押下すると、表示スケジュール管理部６１０は、ズーム動作を再開させる。
【００６０】
風景画像の画像データは、例えば５ｍ毎，３０ｍ毎といったように所定の間隔で撮像されているが、以上の動作により、ユーザの実際の移動の速度あるいは状態に応じて、ナビゲーションの速度を調整することができる。
【００６１】
（加速度・ＧＰＳ連動）
また、表示スケジュール管理部６１０が、加速度・ＧＰＳデータ取得部５６０によって取得された加速度センサ８９ａ，ＧＰＳ受信機８９ｂの出力に応じて、上述のＳ３において設定された、タイマ割り込みのタイミングと拡大率を動的に変化させるようにしてもよい。
【００６２】
これにより、携帯電話端末装置８０の実際の移動速度に応じた拡大処理の制御を行うことができ、ユーザの移動に応じたナビゲーションを提供することができる。
【００６３】
（変形例）
なお、上述の説明では、ナビゲーションデータをパッケージ化したアーカイブファイルとして携帯電話端末装置８０に提供する場合について説明したが、１ファイルの容量制限がある場合には、このアーカイブファイルを幾つかに分割して携帯電話端末装置８０に提供し、携帯電話端末装置８０において結合して１つのアーカイブファイルを復元するようにしてもよい。あるいは、１つのアーカイブファイルとして携帯電話端末装置８０に提供せずに、画像データ，シーケンスファイル等を別個のファイルとして携帯電話端末装置８０に提供するようにしてもよい。
【００６４】
また、上述の説明では、ナビゲーションアプリケーションをナビゲーションデータとは別に携帯電話端末装置８０に提供するようにしていたが、ナビゲーションデータと共にナビゲーションアプリケーションを提供するようにしてもよい。
【００６５】
また、上述の例では、表示部８５の物理的な表示領域が横２４０×縦３２０画素である携帯電話端末装置において、横４８０×縦６４０画素の風景画像の画像データを用いてナビゲーションデータを構成した例について説明したが、近年の移動体通信ネットワークは、Ｗ−ＣＤＭＡ方式に見られるように、通信許容量が向上してきており、より画素数の多い風景画像を利用することもできる。
【００６６】
例えば上述の例で用いている横４８０×縦６４０画素の風景画像では、一枚あたりのデータ容量は圧縮符号化後でおよそ３０ｋバイトである。ネットワーク設計上の制限から、例えばナビゲーションサーバ１０から携帯電話通信端末８０にダウンロード可能なデータ容量を１００ｋバイトに制限している場合、ナビゲーションアプリケーション容量がおよそ１０〜２０ｋバイト程度であることから、この場合では、風景画像として利用可能な画像データの最大枚数は２〜３枚程度となる。また、携帯電話端末装置にダウンロード可能なデータ容量が２５６ｋバイトに制限されている場合には、７〜８枚程度の風景画像を利用することができる。さらに、近年のＷ−ＣＤＭＡ方式のネットワークでは携帯電話端末装置にダウンロード可能なデータ容量が１Ｍバイト程度まで許容されることから、３２枚程度の風景画像を利用することができる。
【００６７】
しかしながら、現実的には、ナビゲーションアプリケーションのユーザーの使用上のニーズとしては、数枚の風景画像で十分である場合も想定されることから、ダウンロード可能なデータ容量が大きい携帯電話端末装置では、使用する風景画像の画素数を増加させることができる。これにより、より高解像度のナビゲーションサービスを実現することができる。例えば、横７６８×縦１０２４画素数の風景画像は、容量がおよそ１８２ｋバイト程度であるから、ダウンロード可能なデータ容量が１Ｍバイト程度の携帯電話端末装置では、横７６８×縦１０２４画素数の風景画像を５枚利用することができる。
【００６８】
なお、アプリケーションの構成においては、ナビゲーションデータを複数のパッケージに分割してダウンロードできるように構成すれば、ネットワークの通信容量規制に制限されずに、ナビゲーションデータを提供することもできる。
【００６９】
このように、この実施例では、携帯電話端末装置の世代に応じたナビゲーションデータを作成しておけば、携帯電話端末装置の世代毎の能力に応じたナビゲーションサービスの提供が可能である。
【００７０】
また、上述のシーケンスファイルの例では、風景画像をファイル名等で管理し、アイコン，テキスト，音情報等の各素材データをＩＤで管理する場合について説明したが、汎用のＯＳのファイルシステムにおいてファイル名で管理されているように、アイコン等の素材データもファイル名で管理するようにしてもよい。
【００７１】
（Ｆｌａｓｈによるナビゲーションデータの構成例）
上述の説明では、ナビゲーションデータを風景画像の画像データ等のアーカイブファイルとして構成し、Ｊａｖａ（登録商標）アプリケーションでナビゲーションデータを再生する例について説明したが、公知の処理系（例えばＦｌａｓｈ）を用いて同様の作用効果を実現することができる。
【００７２】
Ｆｌａｓｈ形式のナビゲーションデータは、例えば図１９に示すように、例えば風景画像の画像データが格納される領域（風景画像記憶領域）３１０と、アイコン画像の画像データが格納される領域（アイコン記憶領域）３２０と、テキストデータが格納される領域（テキスト記憶領域）３３０と、音声データが格納される領域（音声記憶領域）３４０と、ＡｃｔｉｏｎＳｃｒｐｔで記述されたシーケンスファイルが格納される領域（シーケンスファイル記憶領域）３５０を有しており、これらの領域のデータ全体がアーカイブ（一体化）されて構成される。また、この場合のシーケンスファイルは、上述の図１２に示す構成とは異なり、画像データの拡大縮小，アイコンデータ及びテキストデータの表示処理，音声データの出力等の具体的な処理が処理言語（ＡｃｔｉｏｎＳｃｒｐｔ）で記述されて構成されている。
【００７３】
このナビゲーションデータ３００は、上述のナビゲーションデータ８００の場合と同様に、例えばナビゲーションサーバ１０から取得し、ナビゲーションデータ保持部８３ｃに格納される。
【００７４】
このような構成のナビゲーションデータを再生するためには、携帯電話端末装置８０に、Ｆｌａｓｈ形式のデータの再生を行うＦｌａｓｈ処理部４５０を設ける。このＦｌａｓｈ処理部４５０は、例えばアーカイブされたナビゲーションデータから風景画像記憶領域３１０，アイコン記憶領域３２０，テキスト記憶領域３３０，音声記憶領域３４０，シーケンスファイル記憶領域３５０のデータを抽出するパッケージ処理部４５１と、操作入力部５５０，加速度・ＧＰＳデータ取得部５６０からの入力を処理する入力処理部４５２と、シーケンスファイルに応じて風景画像の表示等のスケジュールを管理する表示スケジュール管理部４５３と、風景画像等の画像データの拡大処理を制御する画像拡大処理部４５４とを備えている。なお、これらの機能は、Ｆｌａｓｈを再生するプログラムが一般的に備えている機能である。
【００７５】
（再生動作）
ユーザがナビゲーションデータ３００を指定して、ナビゲーションの開始を指示すると、Ｆｌａｓｈ処理部４５０は、例えば図２０に示すように、まず、パッケージ処理部４５１によってシーケンスファイル記憶領域３５０のシーケンスファイルを抽出し（Ｓ１１）、シーケンスファイルに記述された処理の実行を開始する。
【００７６】
次に、表示スケジュール管理部４５３は、シーケンスファイル内に実行すべき処理が残っているか否かを判定し（Ｓ１２）、実行すべき処理が残っていれば表示スケジュール管理部６１０は、Ｓ１３〜Ｓ２０までの処理を実行し、残っていなければ終了する。
【００７７】
表示スケジュール管理部４５３は、シーケンスファイル内の次の１行分（最初の実行時には１行目）の記述の解釈を行う（Ｓ１３）。１行分の記述には、表示すべき画像データのファイル名と最大拡大領域の座標等が記述されているため、これに応じてズームステップ（フレーム数）を設定し、各ステップ毎の拡大率を設定する（Ｓ１４）。
【００７８】
設定が終了すると表示スケジュール管理部４５３は、指定されているファイル名の画像データを風景画像記憶領域３１０から抽出させ、上述の最大拡大領域と各ステップ毎の拡大率に従って、当該ズームステップにおいて表示させる画像データ中の領域（画像表示領域）の座標を算出させる（Ｓ１５）。
【００７９】
この後、表示スケジュール管理部４５３は、アイコン等の表示が指示されているか否かを検出し（Ｓ１６）、指示が無ければＳ１８に進む。表示が指示されていれば、アイコン等の画像の表示領域を算出した後、Ｓ８に進む（Ｓ１７）。
【００８０】
Ｓ１８において、表示スケジュール管理部４５３は、画像拡大処理部４５４に画像データの拡大（場合によっては縮小）処理を指示する。これに応じて、画像拡大処理部４５４は、拡大処理部５１０に画像データのファイル名と上述の画像表示領域の座標（ｘ１’，ｙ１’，ｘ２’，ｙ２’）を通知する。これに応じて、拡大処理部５１０は、ナビゲーションデータ保持部８３ｃからファイル名に対応する風景画像の画像データを取得し、画像拡大処理部６４０からの指示に従って拡大処理を実行する。
【００８１】
この後、表示スケジュール管理部４５３は、描画処理部５００に指示して、拡大処理された風景画像の画像データにアイコン等の画像を合成させて表示部８５に表示させる（Ｓ１９）。
【００８２】
以上の処理が終了すると、表示スケジュール管理部６１０は、１行分の処理が終了したか否かを判定し（Ｓ２０）、終了していればＳ１２に戻って次の行の処理に移行する。１行分の処理が終了していない場合には、表示スケジュール管理部４５３は、Ｓ１５に戻り、上述と同様に、次のズームステップ以降についてＳ１５〜Ｓ１９の処理を繰り返す。これにより、上述と同様の風景画像の画像データの拡大処理が実行される。
【００８３】
（効果）
このように、ナビゲーションデータをＦｌａｓｈ形式で構成した場合には、Ｆｌａｓｈ形式のデータを再生する環境が実装されていれば、携帯電話端末装置に限らずＰＣ，ＰＤＡ等の他の情報処理端末からでも容易にナビゲーションサービスを利用することができるようになる。
【００８４】
（作成動作）
ところで、上述の携帯電話端末装置８０は、例えばスクリプト実行環境４００で実行されるアプリケーションプログラム（編集アプリケーション）によって、ナビゲーションデータの作成を行うことができるようになっている。この編集アプリケーション７００は、例えば図２１に示すように、カメラ８７によって撮影した風景画像の処理を行う撮影処理部７１０と、例えばメモリ８３の所定の領域に保存されている素材データ９００を用いてナビゲーションデータの編集を行う編集処理部７２０と、ナビゲーションデータをパッケージ化して保存する保存処理部７３０とを備えている。
【００８５】
撮影処理部７１０は、カメラ８７による撮像を制御する撮影制御部７１１と、風景画像の記憶を管理する画像処理部７１２とを備えている。また、編集処理部７２０は、風景画像の選択を行う画像選択部７２１と、表示速度，アイコン，テキスト等の表示を選択する効果選択部７２２と、作成されたナビゲーションデータの再生を行うプレビュー処理部７２３とを備えている。
【００８６】
素材データ９００には、風景画像の画像データが記憶される風景画像記憶領域９１０と、アイコンの画像データが記憶されるアイコン記憶領域９２０と、テキストデータが記憶されるテキスト記憶領域９３０と、効果音等のデータが記憶される音記憶領域９４０とが設けられている。編集処理部７２０は、これらの領域９１０に格納される個々の画像データをファイル名等の属性情報で管理しており、領域９３０〜９４０に格納される個々のデータを識別情報（アイコンＩＤ，テキストＩＤ，音ＩＤ）で管理している。
【００８７】
ユーザからナビゲーションデータの作成が指示されると、編集アプリケーション７００は、例えば図２２に示す処理を実行し、まず、ユーザに指示を要求するメニュー画面を表示させる（Ｓ２１）。このメニュー画面には、例えば図２３に示すように、１．撮影、２．編集、３．保存、４．終了の選択肢があり、編集アプリケーション７００は、ユーザからの指示入力に応じた処理を実行するようになっている。
【００８８】
（撮影）
ユーザが「１．撮影」を選択すると（Ｓ２２）、編集アプリケーション７００の撮影処理部７１０は、カメラ８７による風景画像の撮影処理を実行する（Ｓ２３）。具体的には、まず、撮影制御部７１１によってカメラ８７の画像を表示部８５の表示画面に表示させ、ユーザからの撮影指示のタイミングでカメラ８７からの画像データを取り込む。この後、当該画像を保存するか否かをユーザに確認し、保存が指示されると画像処理部７１２が当該画像データにファイル名，撮影日時等の属性を示す情報を付して風景画像記憶領域９１０に格納する。
【００８９】
撮影した画像を保存しない旨が指示されると、撮影を継続するか終了するかをユーザに確認し、撮影の継続が指示されると、撮影制御部７１１は撮影を継続する。一方、終了が指示されると、撮影処理を終了し、メニュー画面（図２２中のＳ２１）に戻る。以上の撮影処理により、風景画像記憶領域９１０に画像ＩＤに対応付けられた風景画像の画像データが蓄積される。
【００９０】
（編集）
また、ユーザが「２．編集」を選択すると（図２２中のＳ２４）、編集アプリケーション７００の編集処理部７２０は、風景画像の画像データ等によってナビゲーションデータの編集処理を実行する（Ｓ２５）。具体的には、例えば図２４に示すように、まず、ナビゲーションデータの編集，プレビューあるいは処理の終了の選択を行い（Ｓ３０）、編集が指示されると、画像選択部７２１が風景画像記憶領域９１０に格納されている画像データの一覧を表示させ（Ｓ３１）、ユーザに風景画像を選択させる（Ｓ３２）。
【００９１】
ユーザが風景画像を選択すると、効果選択部７２２はユーザに最大拡大領域，アイコン，テキスト，効果音等の設定を行わせる（Ｓ３３）。
【００９２】
最大拡大領域の指定においては、例えば表示させる画像データを順番に選択した後に、最大拡大領域の設定を行うようにしてもよい。この場合は、例えば図２５に示すように、表示部８５に、最大拡大領域を設定しようとする画像データを表示する領域８５ａの他に、次の画像データを表示する領域８５ｂを設け、当該領域に次の画像データを表示させた状態で、最大拡大領域を示す枠８５ｃを表示させるようにしてもよい。この枠８５ｃは、例えば操作キー８４の操作に応じて大きさ，位置を変更し、設定を指示することができるようになっている。
【００９３】
これらの設定が終了すると、効果選択部７２２は、選択された画像データのファイル名，最大拡大領域の座標，アイコンＩＤ等からシーケンスファイルの１行分のデータを生成して一時ファイルに書き出す（Ｓ３４）。この後、画像選択部７２１は、画像データの一覧表示に戻り（Ｓ３１）、Ｓ３２以降の処理を繰り返す。ユーザがＳ３２において終了を選択すると、効果選択部７２２は、一時ファイルの内容をシーケンスファイルとして出力し（Ｓ３５）、Ｓ３０に戻る。
【００９４】
また、Ｓ３０においてプレビューが指示されると、プレビュー処理部７２３は、上述のナビゲーションアプリケーション６００の動作と同様に、Ｓ３５において出力されたシーケンスファイルの記述に従って画像データの拡大，切替等の処理を実行する。なお、この状態では、シーケンスファイル，画像データ等はパッケージ化されていないため、パッケージ化されたナビゲーションデータからシーケンスファイルを抽出する処理は不要である。Ｓ３０において処理の終了が選択されると、編集処理部７２０は、編集処理を終了し、メニュー画面（図２２中のＳ２１）に戻る。
【００９５】
（保存）
また、ユーザが「３．保存」を選択すると（図２２中のＳ２６）、編集アプリケーション７００の保存処理部７３０は、編集処理によって作成されたシーケンスファイルと、風景画像の画像データ等をパッケージ化してナビゲーションデータ（アーカイブファイル）を作成する。このパッケージ化において、ナビゲーションデータ全体をデータ圧縮するようにしてもよい。作成したナビゲーションデータは、ナビゲーションデータ保持部８３ｃに格納し（Ｓ２７）、メニュー画面（Ｓ２１）に戻る。
【００９６】
このように作成され、ナビゲーションデータ保持部８３ｃに格納されたナビゲーションデータは、例えば電子メールクライアント２００が送信するメッセージの添付ファイルとして他の携帯電話端末装置に送信することができるようになる。また、このナビゲーションデータをナビゲーションサーバ１０にアップロードすることもできる。この手順は、例えばナビゲーションサーバ１０に電子メールクライアントを設けておき、当該電子メールクライアント宛のメッセージの添付ファイルとして送信する。ナビゲーションファイルが添付されたメッセージを受信したナビゲーションサーバ１０の電子メールクライアントは、メッセージ本文の内容に応じてナビゲーションデータをデータ保持部１１に格納する。あるいは、ナビゲーションサーバ１０にアップロード用のＨＴＴＰサーバを設けておき、当該ＨＴＴＰサーバに携帯電話端末装置８０のブラウザ２５０からアクセスし、ナビゲーションデータを送信する。ナビゲーションサーバ１０のＨＴＴＰサーバは携帯電話端末装置８０からのｍｐａデータをデータ保持部１１に格納する。
【００９７】
また、携帯電話端末装置８０に取り外し可能なメモリを設け、このメモリにナビゲーションデータを格納してパーソナルコンピュータ（ＰＣ）等の情報処理装置に提供し得るように構成してもよい。
【００９８】
（終了）
ユーザが「４．終了」を選択すると（Ｓ２８）、編集アプリケーション７００は編集処理を終了する。終了が選択されない場合は、メニュー画面（図２２中のＳ２１）に戻る。
【００９９】
（編集動作の効果）
以上説明したように、この携帯電話端末装置８０では、ユーザに理解し易いナビゲーションを提供し得るナビゲーションデータを容易に作成することができる。このナビゲーションデータは、静止画の画像データ数枚を用いて構成されているため、携帯電話端末装置のようなデータ容量，処理能力が制限された情報処理装置でも処理負荷をかけずに作成することができる。
【０１００】
（編集装置動作）
また、編集装置４０の素材データ保持部４１には、携帯電話端末装置８０の素材データ９００と同様に、風景画像，アイコンの画像データ，テキストデータ，音データ等の素材データを格納し得るようになっている。編集処理部４２は、素材データ保持部４１に保持されている風景画像，アイコンの画像データ、テキストデータ等を用いてナビゲーションデータを作成することができるようになっている。
【０１０１】
例えばユーザが制御プログラムの実行を指示すると、図２６に示す処理の実行が開始される。編集処理部４２は、まず、ユーザに指示を要求するメニュー画面を表示させる（Ｓ４０）。このメニュー画面には、例えば１．風景画像入力、２．編集、３．保存、４．アップロード、５．終了の選択肢があり、編集処理部４２は、ユーザからの指示入力に応じた処理を実行するようになっている。
【０１０２】
（風景画像入力）
ユーザが「１．風景画像の入力」を選択すると（Ｓ４１）、編集処理部４２は、例えば図示しないデジタルカメラ，携帯電話端末装置等から風景画像の画像データを入力する（Ｓ４２）。入力した画像データは、編集処理部４２が素材データ保持部４１に格納し、メニュー画面（Ｓ４０）に戻る。これにより、デジタルカメラ，携帯電話端末装置等で撮影された風景画像の画像データが素材データ保持部４１に蓄積される。
【０１０３】
（編集）
また、ユーザが「２．編集」を選択すると（Ｓ４３）、編集処理部４２は、風景画像の画像データ等によってナビゲーションデータの編集処理を実行する（Ｓ４４）。具体的には、上述の図２４に示す処理と同様に、まず、ナビゲーションデータの編集，プレビューあるいは処理の終了の選択を行い、編集が指示されると、素材データ保持部４１に格納されている画像データの一覧を表示させ、ユーザに風景画像を選択させる。
【０１０４】
ユーザが風景画像を選択すると、編集処理部４２はユーザに最大拡大領域，アイコン，テキスト，効果音等の設定を行わせる。これらの設定が終了すると、編集処理部４２は、選択された画像データのファイル名，最大拡大領域の座標，アイコンＩＤ等からシーケンスファイルの１行分のデータを生成して一時ファイルに書き出す。この後、編集処理部４２は、画像データの一覧表示に戻り、以上の処理を繰り返す。ユーザが終了を選択すると、編集処理部４２は、一時ファイルの内容をシーケンスファイルとして出力し、処理の選択に戻る。
【０１０５】
また、処理の選択プレビューが指示されると、編集処理部４２は、上述のプレビュー処理部７２３の動作と同様に、シーケンスファイルの記述に従って画像データの拡大，切替等の処理を実行する。また、処理の終了が選択されると、編集処理部４２は、編集処理を終了し、メニュー画面（Ｓ４０）に戻る。
【０１０６】
（保存）
また、ユーザが「３．保存」を選択すると（Ｓ４５）、編集処理部４２は、編集処理によって作成されたシーケンスファイルと、風景画像の画像データ等をパッケージ化してナビゲーションデータ（アーカイブファイル）を作成する（Ｓ４６）。このパッケージ化において、ナビゲーションデータ全体をデータ圧縮するようにしてもよい。作成したナビゲーションデータは、ナビゲーションデータ保持部４４に格納する。
【０１０７】
なお、例えばダウンロード可能なデータ容量が１Ｍバイトである携帯電話端末装置が、ダウンロード可能なデータ容量が１００ｋバイトの携帯電話端末装置宛のナビゲーションデータを作成する際は、画像データの画素数の調整を行う。具体的には、例えば横７６８×縦１０２４画素の画像データを、画素数の間引きと補間等の処理により、横４８０×縦６４０画素の画像データに圧縮変換する。
【０１０８】
（アップロード）
ユーザが「４．アップロード」を選択すると（Ｓ４７）、編集処理部４２はアップロード処理部４３にナビゲーションデータをナビゲーションサーバ１０にアップロードさせ（Ｓ４８）、メニュー画面（Ｓ４０）に戻る。
【０１０９】
（終了）
ユーザが「５．終了」を選択すると（Ｓ４９）、編集処理部４２は編集処理を終了する。終了が選択されない場合は、メニュー画面（Ｓ４０）に戻る。
【０１１０】
（作成動作の効果）
以上説明したように、この編集装置４０では、携帯電話端末装置８０において、ユーザに理解し易いナビゲーションを提供し得るナビゲーションデータを容易に作成することができる。このナビゲーションデータは、静止画の画像データ数枚を用いて構成されているため、携帯電話端末装置のようなデータ容量，処理能力が制限された情報処理装置でも処理負荷をかけずに作成することができる。
【０１１１】
（変形例）
上述の説明では、ナビゲーションサーバ１０がナビゲーションデータを提供する構成としていたが、ＨＴＴＰサーバ３０にナビゲーションデータを格納しておき、ＨＴＴＰサーバ３０がナビゲーションデータを提供する構成とすることもできる。
【０１１２】
また、上述の説明では、ナビゲーションに本発明を適用した場合について説明したが、移動経路を示す用途であれば、例えば鉄塔の保守マニュアル，ロッククライミングの指導あるいはゲーム等の用途にも本発明を用いることができる。
【０１１３】
また、上述の説明では、ナビゲーションデータを再生する情報処理装置の例として、携帯電話端末装置８０について説明したが、スクリプト実行環境４００と同様のスクリプト実行環境を実装し、ナビゲーションアプリケーション６００と同様のアプリケーションを実行させることにより、ＰＤＡ等の携帯情報処理装置あるいはＰＣ等の情報処理装置において、ナビゲーションデータの再生を行うこともできる。
【０１１４】
また、上述の説明では、スクリプト実行環境４００でナビゲーションアプリケーション６００を実行させる例について説明したが、ＭＰＵ８２のネイティブ環境で実行するようにしてもよい。この場合、ＰＤＡ，ＰＣ等の他の情報処理装置への移植性は若干損なわれるが、動作の高速性に寄与することができる。これにより、例えばユーザの移動に対する応答性の向上にも寄与することができる。
【図面の簡単な説明】
【０１１５】
【図１】本発明の実施例１に係る情報通信システムの構成例を示すブロック図である。
【図２】前記情報通信システムを構成する携帯電話端末装置の要部の構成例を示すブロック図である。
【図３】前記携帯電話端末装置で用いられるナビゲーションデータの構成例を示す図である。
【図４】前記ナビゲーションデータによって提供し得るナビゲーションの例を説明するための図である。
【図５】前記ナビゲーションに用いる風景画像の撮影位置を示す図である。
【図６】前記風景画像の例を示す図である。
【図７】前記風景画像の例を示す図である。
【図８】前記風景画像の例を示す図である。
【図９】前記風景画像の例を示す図である。
【図１０】前記風景画像の例を示す図である。
【図１１】前記風景画像の例を示す図である。
【図１２】前記ナビゲーションデータを構成するシーケンスファイルの例を示す図である。
【図１３】前記ナビゲーションにおける表示画像を概念的に示す図である。
【図１４】前記ナビゲーションにおける処理の例を示すフローチャートである。
【図１５】前記ナビゲーションにおける拡大処理における表示画像の例を示す図である。
【図１６】前記ナビゲーションにおける画像の切替時の処理を示す概念図である。
【図１７】前記拡大処理においてユーザが感じる距離感の例を示す図である。
【図１８】前記拡大処理の例を示す概念図である。
【図１９】前記携帯電話端末装置を構成するＦｌａｓｈ処理部の構成例を示す図である。
【図２０】前記Ｆｌａｓｈ処理部における処理の例を示すフローチャートである。
【図２１】前記携帯電話端末装置の要部の構成例を示すブロック図である。
【図２２】ナビゲーションデータの編集処理の例を示すフローチャートである。
【図２３】前記編集処理において携帯電話端末装置の表示部に表示されるメニュー画面の例を示す図である。
【図２４】前記編集処理の詳細を示すフローチャートである。
【図２５】前記編集処理における画像の拡大領域の設定処理における表示画像を示す図である。
【図２６】前記情報通信システムを構成する編集装置における編集処理の例を示すフローチャートである。
【符号の説明】
【０１１６】
１０  ナビゲーションサーバ，２０  メールサーバ、３０  ＨＴＴＰサーバ、４０  編集装置、４１  素材データ保持部、４２  編集処理部、４３  アップロード処理部、８０  携帯電話端末装置、８２  ＭＰＵ、８３  メモリ、８３ｃ  ナビゲーションデータ保持部、２００  電子メールクライアント、２５０  ブラウザ、４００  スクリプト実行環境、４５０  Ｆｌａｓｈ処理部、５００  描画処理部、５１０  拡大処理部、６００  ナビゲーションアプリケーション、７００  編集アプリケーション、８００  ナビゲーションデータ
【図１】
2006253742.tif 000003
【図２】
2006253742.tif 000004
【図３】
2006253742.tif 000005
【図４】
2006253742.tif 000006
【図５】
2006253742.tif 000007
【図６】
2006253742.tif 000008
【図７】
2006253742.tif 000009
【図８】
2006253742.tif 000010
【図９】
2006253742.tif 000011
【図１０】
2006253742.tif 000012
【図１１】
2006253742.tif 000013
【図１２】
2006253742.tif 000014
【図１３】
2006253742.tif 000015
【図１４】
2006253742.tif 000016
【図１５】
2006253742.tif 000017
【図１６】
2006253742.tif 000018
【図１７】
2006253742.tif 000019
【図１８】
2006253742.tif 000020
【図１９】
2006253742.tif 000021
【図２０】
2006253742.tif 000022
【図２１】
2006253742.tif 000023
【図２２】
2006253742.tif 000024
【図２３】
2006253742.tif 000025
【図２４】
2006253742.tif 000026
【図２５】
2006253742.tif 000027
【図２６】
2006253742.tif 000028